(57)【要約】【課題】フォトブックのように表紙や本文、ジャケット、帯といった複数の部品で構成される商品について、部品間で画像補正の結果を一致させる必要がある。【解決手段】複数の部品から構成される成果物を生成するために前記複数の部品に印刷される画像に対し補正処理を行う情報処理装置であって、前記成果物を構成する複数の部品のうち、同じ画像を使用する複数の部品の画像に対し、同じ補正処理を行うか否かを判定する判定手段と、前記成果物を構成する複数の部品の画像それぞれに対し、補正処理を行う画像補正処理手段とを有し、前記画像補正処理手段は、前記判定手段にて同じ補正処理を行うと判定された複数の部品の画像に対しては、当該判定された複数の部品のうちの他の部品の画像の補正結果を用いることで同じ補正処理を行う。【選択図】図６
2015097058.tif 000002
【特許請求の範囲】
【請求項１】
複数の部品から構成される成果物を生成するために前記複数の部品に印刷される画像に対し補正処理を行う情報処理装置であって、
前記成果物を構成する複数の部品のうち、同じ画像を使用する複数の部品の画像に対し、同じ補正処理を行うか否かを判定する判定手段と、
前記成果物を構成する複数の部品の画像それぞれに対し、補正処理を行う画像補正処理手段と
を有し、
前記画像補正処理手段は、前記判定手段にて同じ補正処理を行うと判定された複数の部品の画像に対しては、当該判定された複数の部品のうちの他の部品の画像の補正結果を用いることで同じ補正処理を行うことを特徴とする情報処理装置。
【請求項２】
前記判定手段は、同じ画像を使用する複数の部品のうち、前記成果物に組み立てられた際に複数の部品が重畳して配置され、かつ、重畳された状態で複数の部品それぞれに印刷された画像が一体となって前記同じ画像として目視可能とする複数の部品に対し、同じ補正処理を行うと判定することを特徴とする請求項１に記載の情報処理装置。
【請求項３】
前記成果物は、冊子であり、
前記判定手段にて同じ補正処理を行うと判定される複数の部品は、前記冊子の表紙と、前記冊子に重畳して配置される帯であることを特徴とする請求項１または２に記載の情報処理装置。
【請求項４】
前記画像補正処理手段は、前記判定手段にて同じ補正処理を行うと判定された部品の画像が、前記判定手段にて同じ補正処理を行うと判定された他の部品の画像の一部を含む場合、当該他の部品の画像の補正結果の一部を切り取って使用することで同じ補正処理を行うことを特徴とする請求項１乃至３のいずれか一項に記載の情報処理装置。
【請求項５】
前記画像補正処理手段は、前記判定手段にて同じ補正処理を行うと判定された部品の画像に対する補正処理の補正パラメータを保持し、前記判定手段にて同じ補正処理を行うと判定された他の部品の画像に対し当該補正パラメータを用いて同じ補正処理を行うことを特徴とする請求項１乃至３のいずれか一項に記載の情報処理装置。
【請求項６】
前記画像補正処理手段は、前記複数の部品の画像が形成される記録媒体の種類に応じて前記補正パラメータを調整することを特徴とする請求項５に記載の情報処理装置。
【請求項７】
前記画像補正処理手段は、部品の画像のサイズが閾値よりも大きいか否かを判定し、当該部品の画像のサイズが前記閾値よりも小さいと判定された場合は補正処理を行わず、前記閾値よりも大きいと判定された場合は補正処理を行うことを特徴とする請求項１乃至６のいずれか一項に記載の情報処理装置。
【請求項８】
同じ画像を使用する複数の部品を含む成果物を生成する指示を受け付ける手段を更に有することを特徴とする請求項１乃至７のいずれか一項に記載の情報処理装置。
【請求項９】
複数の部品から構成される成果物を生成するために前記複数の部品の画像に対し補正処理を行う情報処理方法であって、
前記成果物を構成する複数の部品のうち、同じ画像を使用する複数の部品の画像に対し、同じ補正処理を行うか否かを判定する判定工程と、
前記成果物を構成する複数の部品の画像それぞれに対し、補正処理を行う画像補正処理工程と
を有し、
前記画像補正処理工程において、前記判定工程にて同じ補正処理を行うと判定された複数の部品の画像に対しては、当該判定された複数の部品のうちの他の部品の画像の補正結果を用いることで同じ補正処理を行うことを特徴とする情報処理方法。
【請求項１０】
コンピュータを、
成果物を構成する複数の部品のうち、同じ画像を使用する複数の部品の画像に対し、同じ補正処理を行うか否かを判定する判定手段、
前記成果物を構成する複数の部品の画像それぞれに対し、補正処理を行う画像補正処理手段
として機能させ、
前記画像補正処理手段は、前記判定手段にて同じ補正処理を行うと判定された複数の部品の画像に対しては、当該判定された複数の部品のうちの他の部品の画像の補正結果を用いること同じ補正処理を行うことを特徴とするプログラム。
【発明の詳細な説明】
【技術分野】
【０００１】
本発明は、情報処理装置、情報処理方法、及びプログラムに関し、例えばオンデマンド印刷における画像補正を施した本やフォトブック、フォトアルバム等の品質向上を実現する技術に関する。
【背景技術】
【０００２】
近年、画像形成装置やインターネット経由の注文受注といったデジタル化による印刷技術の向上によりオンデマンド印刷が生産現場で採用されている。オンデマンド印刷は極小ロットへの対応、短納期、顧客ひとりひとりの要望に応えるために商品ラインナップやオプションが豊富といった特徴がある。
【０００３】
上記特徴を有するオンデマンド印刷の代表例であるフォトブックやフォトアルバムといったコンシューマ向け商品では、きれいな印刷結果を得るために、顧客の画像に画像補正処理を施す事が多い。例えば、業者Ａと業者Ｂそれぞれが運営するフォトブック注文サイトからフォトブックの生産を印刷業者が受け付ける場合がある。業者Ａと業者Ｂのフォトブックはそれぞれ異なる商品であるが、フォトブックのビジネスを行う印刷業者は品質を保つために、顧客が操作する注文サイト側ではなく、印刷現場で画像補正を行う。これにより、異なる注文サイトからのフォトブック注文であっても、画像補正処理は同じなので、印刷業者は自社の基準の画像補正結果を得ることが出来る。
【０００４】
上記画像補正処理に関する技術として、画像補正が行われているか否かのフラグを各画像に付与しておいて、画像補正がされていなければ画像補正を行うといったものがある（特許文献１参照）。
【先行技術文献】
【特許文献】
【０００５】
【特許文献１】特開２００６―２７９２１１号公報
【発明の概要】
【発明が解決しようとする課題】
【０００６】
しかし、フォトブックのように表紙や本文、ジャケット、帯といった複数種類の部品で構成される冊子状の商品について、部品間で画像補正の結果を一致させる必要が有る場合、特許文献１に記載された技術では、画像補正の結果を一致させることが困難である。
【０００７】
例えば、前述のように異なる注文サイトからフォトブックを受注するような場合、顧客の画像はジャケットや帯といった具合に部品ごとにＰｏｒｔａｂｌｅ  Ｄｏｃｕｍｅｎｔ  Ｆｏｒｍａｔ（以下、ＰＤＦ）として印刷業者に入稿されることが多い。このような入稿形態では、１冊のフォトブックを構成する異なる部品上に同じ画像を印刷する場合、ジャケットの画像と帯の画像は元々同じ画像であるにもかかわらず、帯の画像は帯の領域部分だけがＰＤＦとして入稿される。
【０００８】
特許文献１に記載された技術では、ジャケットや帯といった部品ごとに画像補正を行う。前述のとおり帯の画像は帯の領域部分だけが入稿されてくるので、画像補正を行う時にジャケットの画像と帯の画像は異なる画像と判断されてしまう。その結果、各画像に対する画像補正結果が一致しない。
【０００９】
本発明は、上記従来例に鑑みてなされたもので、例えば、ジャケットや帯といった１冊の成果物を構成する異なる印刷物上に同じ画像を印刷する場合、画像補正結果を一致させる手法を提供する。
【課題を解決するための手段】
【００１０】
上記課題を解決するために、本発明に係る情報処理装置は、以下の構成を有することを特徴とする。すなわち、複数の部品から構成される成果物を生成するために前記複数の部品に印刷される画像に対し補正処理を行う情報処理装置であって、前記成果物を構成する複数の部品のうち、同じ画像を使用する複数の部品の画像に対し、同じ補正処理を行うか否かを判定する判定手段と、前記成果物を構成する複数の部品の画像それぞれに対し、補正処理を行う画像補正処理手段とを有し、前記画像補正処理手段は、前記判定手段にて同じ補正処理を行うと判定された複数の部品の画像に対しては、当該判定された複数の部品のうちの他の部品の画像の補正結果を用いることで同じ補正処理を行う。
【発明の効果】
【００１１】
本発明によれば、複数の印刷物上に同じ画像を印刷する場合、画像補正結果を一致させ、複数の印刷物を含む成果物全体の品質を向上させることができる。
【図面の簡単な説明】
【００１２】
【図１】フォトブックの構成例を示す図。
【図２】フォトブックのスタイルの例を示す図。
【図３】印刷システムの構成例を示す図。
【図４】情報処理システムの構成例を示す図。
【図５】情報処理システムのハードウェア構成例を示す図。
【図６】生産管理アプリケーションのモジュール構成例を示す図。
【図７】注文データの構成例を示す図。
【図８】注文情報ファイルの構成例を示す図。
【図９】コンテンツデータの一例を示す図。
【図１０】画像補正処理の概念を示す図。
【図１１】画像補正処理の処理フローを示す図。
【図１２】第一の実施形態に係るコンテンツデータ処理の概念を示す図。
【図１３】第一の実施形態に係るコンテンツデータ処理の処理フローを示す図。
【図１４】ジャケット画像と帯画像領域の関係を示す図。
【図１５】ジャケット画像と帯画像領域の関係を示す図。
【図１６】第二の実施形態に係るコンテンツデータ処理の概念を示す図。
【図１７】第二の実施形態に係るコンテンツデータ処理の処理フローを示す図。
【発明を実施するための形態】
【００１３】
次に本発明を実施するための形態について図面を参照して説明する。
【００１４】
＜第一の実施形態＞
図１は、本実施形態に係るフォトブックの構成を説明する図である。図１において、注文１は１以上の成果物で構成される。つまり、顧客は１回の注文で複数の成果物を注文することができる。本実施形態において、冊子の成果物としてフォトブック２を例に挙げて説明する。フォトブック２は、本文３と表紙４、帯５、およびジャケット６の複数種類の部品から構成される。部品のコンテンツデータはそれぞれ１つのＰＤＦとして入稿される。ＰＤＦ中には画像が配置されている。そして、部品それぞれに対して１つの印刷ジョブが第１の実施形態の印刷システムにより作成される。
【００１５】
図２は、第１の実施形態に係る印刷システムにおけるフォトブックのスタイルの例を説明する図である。本実施形態では、顧客は、フォトブックの注文時点で、図２に示す３つのジャケットタイプを選択することができる。ここでのジャケットタイプの例として、シンプルスタイル７、レギュラースタイル１２、およびダイナミックスタイル１７を挙げる。
【００１６】
図２（ａ）に示すシンプルスタイル７とは、ジャケットと帯に画像を使用せず、テキストのみが印刷されるジャケットタイプである。ジャケット８には、テキスト１０のみが印刷される。帯９にはテキスト１１が印刷される。
【００１７】
図２（ｂ）に示すレギュラースタイル１２とは、ジャケットに画像が印刷され、帯にはテキストのみが印刷されるジャケットタイプである。ジャケット１３には画像１４が印刷される。帯１５にはテキスト１６が印刷される。
【００１８】
図２（ｃ）に示すダイナミックスタイル１７とは、ジャケット全面が画像となる。そして、ジャケットに巻かれる帯にもジャケットと同様の画像（同じ画像の少なくとも一部）が印刷される。具体的には、ダイナミックスタイル１７の場合、ジャケット１８には画像１９とテキスト２０が印刷される。画像１９はジャケット１８全体に印刷される。帯２１には画像２２とテキスト２３が印刷される。画像２２には、画像１９と同じ画像が使用され、ジャケット全体に印刷される画像１９のうち、帯の領域に相当する部分が画像２２となる。そして、ジャケットと帯とが製本組立時に重畳して配置された場合、ユーザーは、冊子においてジャケットと帯とに印刷された画像が一体となって目視可能となる。つまり、重畳した状態では、ジャケットの画像の一部は帯によって隠されるが、帯の画像がその隠れた部分に対応することで、ジャケットと帯で１の画像を構成することとなる。
【００１９】
［システム構成］
図３は、第１の実施形態を示す印刷システムの構成例を説明するブロック図である。
【００２０】
図３において、注文サーバ１００は、ＷＡＮ（Ｗｉｄｅ  Ａｒｅａ  Ｎｅｔｗｏｒｋ）等のネットワーク２００を介して印刷ラボ３００と通信可能に接続されている。注文サーバ１００は、Ｗｅｂ経由の入稿システムである。例えば、フォトブックをＷｅｂ経由で購入する場合、顧客は自宅等の情報処理装置（不図示）から、例えばその情報処理装置のＷｅｂブラウザ（不図示）を起動し、注文サーバ１００が提供するＷｅｂサイトにアクセスする。そして、顧客は、接続された注文サーバ１００が提供する注文用に使用されるユーザーインタフェース画面を使って画像を注文サーバ１００にアップロードし、提示された金額を支払い、フォトブックの注文をする。
【００２１】
印刷ラボ３００において、情報処理システム３１０は、注文サーバ１００が作成した注文データをネットワーク２００経由で受注する。情報処理システム３１０は、受注した注文データを処理し、画像形成装置３２０に印刷ジョブを送信する。画像形成装置３２０は、帯、本文、ジャケット、表紙といったフォトブックの部品それぞれを印刷する。
【００２２】
部品が画像形成装置３２０にて印刷された後、印刷ラボ３００の作業者は、ラミネートや断裁、くるみ製本といった後加工を行う。そして、作業者は部品を手作業で組み合わせて、フォトブックを完成させる。そして、作業者は完成したフォトブックを梱包し、顧客に対して出荷する。
【００２３】
図４は、図３に示した情報処理システム３１０の構成例を示すブロック図である。図４において、受注サービス３１１は、注文サーバ１００からネットワーク２００を経由して注文を取得する。生産管理アプリケーション３１２は、受注する注文に対応する製品（例えばフォトブック）を構成する部品（例えば表紙、本文等）に所定の処理を実行する複数の実行手段として、図６を用いて後述するモジュールを備える。ここで、所定の処理とは受注する印刷注文で特定される印刷すべきコンテンツデータに行う処理であって、画像補正処理、ジョブ作成処理、ジョブ発行処理等が含まれる。
【００２４】
データベース３１３は、図７を用いて後述する注文データ（注文情報ファイルやコンテンツデータなど）を格納して管理する。
【００２５】
図５は、図４に示した情報処理システム３１０のハードウェア構成例を示すブロック図である。図５において、中央処理装置５００は、プログラムおよび関連データが記憶されているフロッピーディスク、ＣＤ―ＲＯＭ、ＩＣメモリカード等の記憶媒体をシステムに接続された媒体読取装置５０６から読み込む。その後、中央処理装置５００は、補助記憶装置５０２からメモリ等の主記憶装置５０１にロードされたアプリケーションプログラムにより、入力装置５０５から入力される情報を処理する。そして、中央処理装置５００は、出力装置５０４やネットワークＩ／Ｆ５０７経由で画像形成装置３２０に出力する。
【００２６】
なお、本実施形態では、出力装置５０４はディスプレイなどの表示装置とし、本来出力装置に含まれるプリンタなどの画像形成装置３２０と区別する。また、入力装置５０５はキーボード、ポインティングデバイス等で構成されているものとする。なお、後述のフローチャートで示す手順は、情報処理システム３１０の主記憶装置５０１、補助記憶装置５０２、ＲＯＭ５０３の記憶部のいずれかに記憶されたプログラムを、中央処理装置５００が読み出して実行されることで実現される。
【００２７】
さらに補助記憶装置５０２は、ハードディスク、光磁気ディスクで構成されるものであっても良いし、これらの組み合わせで構成されるものであってもよい。また、それぞれの装置がネットワークを介して接続されていようとも、本発明を制約するものではない。
【００２８】
図６は、図４に示した生産管理アプリケーション３１２のモジュール構成例を示すブロック図である。生産管理アプリケーション３１２は、作業工程管理部６０１、注文データ取込部６０２、注文データ登録部６０３、コンテンツデータ処理部６０４、画像補正処理部６０５、ジョブ作成部６０６、およびジョブ発行部６０７を含む。後述する処理フローでは、作業工程管理部６０１とコンテンツデータ処理部６０４、画像補正処理部６０５を説明する。
【００２９】
作業工程管理部６０１は、生産管理アプリケーション３１２で行われる所定の処理を制御する。各モジュールは、作業工程管理部６０１の指示を受けて処理を開始・終了する。注文データ取込部６０２は、受注サービス３１１から注文データを生産管理アプリケーション３１２に取り込む。注文データ登録部６０３は、注文データ取込部６０２が取り込んだ注文データを解析し、データベース３１３に登録する。
【００３０】
コンテンツデータ処理部６０４は、データベース３１３から所望のコンテンツデータを取得し、画像補正処理の前処理と後処理を行う。画像補正処理部６０５は、フォトブックの部品のコンテンツデータ内に配置された画像に対して画像補正処理を行う。ジョブ作成部６０６は、フォトブックの部品それぞれに対して、印刷ジョブを作成する。ジョブ発行部６０７は、ジョブ作成部６０６が作成した印刷ジョブを画像形成装置３２０に対して発行する。
【００３１】
［データ構成］
図７は、第１の実施形態を示す印刷システムにおける注文データの一例を示す図である。第１の実施形態においては、注文データ７００は、ＺＩＰフォーマットで圧縮されている。注文データ７００は、後述する１つの注文情報ファイル７１０と１または複数の成果物フォルダ７２０を含む。例えば、顧客が３つのフォトブックを注文する場合、注文データ７００は１つの注文情報ファイル７１０と３つの成果物フォルダ７２０を含む構成となる。
【００３２】
注文情報ファイル７１０には、注文の発注者や配送先、成果物の仕様等が記述される。成果物フォルダ７２０には、顧客が注文した成果物を構成する部品のコンテンツデータが格納されている。ここで、コンテンツデータとは、図１で説明した成果物を構成する部品（本文３、表紙４、帯５、ジャケット６）それぞれのコンテンツデータであり、本実施形態の場合、１つの部品につき１つのコンテンツデータとなる。つまり、成果物フォルダ７２０には本文のコンテンツデータ７２１、表紙のコンテンツデータ７２２、ジャケットのコンテンツデータ７２３、帯のコンテンツデータ７２４が含まれる。コンテンツデータのフォーマット形式はＰＤＦである。
【００３３】
図８は、図７に示した注文情報ファイル７１０の一例を説明する図である。本実施形態においては、注文情報ファイル７１０のデータ形式はＣＳＶ（Ｃｏｍｍａ―Ｓｅｐａｒａｔｅｄ  Ｖａｌｕｅ）である。ただし、ＸＭＬ（Ｅｘｔｅｎｓｉｂｌｅ  Ｍａｒｋｕｐ  Ｌａｎｇｕａｇｅ）形式やテキスト形式等、どのようなデータ形式であっても本発明を制約するものではない。
【００３４】
注文情報ファイル７１０において、１行分が１つの成果物の情報を表す。１つの注文に複数の成果物が含まれる場合は、成果物の数分だけ行が増える。図７では１つの成果物の情報のみを示している。注文情報ファイル７１０の１行には、注文番号７１１、ブック番号７１２、画像補正７１３、ジャケットスタイル７１４、ページ数７１５、配送先住所７１６、配送先氏名７１７、注文者住所７１８、および注文者氏名７１９が含まれる。
【００３５】
注文番号７１１は、注文を一意に識別するための識別子である。ブック番号７１２は、成果物を一意に識別するための識別子である。画像補正７１３は、注文サーバ１００にてフォトブックを注文する際に顧客が指定した画像補正処理の有効あるいは無効のフラグである。値がＯＮの場合は、画像補正処理を行う。値がＯＦＦの場合は画像補正処理を行わない。
【００３６】
ジャケットスタイル７１４は、注文サーバ１００にてフォトブックを注文する際に顧客が指定したジャケットスタイルの情報である。図２で説明したように、ジャケットスタイル７１４に入る値は、シンプルスタイル、レギュラースタイル、ダイナミックスタイルのいずれか１つである。ページ数７１５は、成果物に含まれるページの数である。配送先住所７１６は、成果物を配送する住所である。配送先住所７１６は、注文サーバ１００にてフォトブックを注文する際に顧客が指定する。配送先氏名７１７は、成果物の配送先の氏名である。配送先氏名７１７は、注文サーバ１００にてフォトブックを注文する際に顧客が指定する。
【００３７】
注文者住所７１８は、成果物を注文した顧客の住所である。注文者住所７１８は、注文サーバ１００にてフォトブックを注文する際に顧客が指定する。注文者氏名７１９は、当該成果物を注文した顧客の氏名である。注文者氏名７１９は、注文サーバ１００にてフォトブックを注文する際に顧客が指定する。
【００３８】
図９は、図７に示したコンテンツデータ７２１、７２２、７２３、７２４の一例を説明する図である。ここでは、ジャケットスタイルとしてダイナミックスタイルが指定された場合の一例を示す。
【００３９】
図９（ａ）に示す本文のコンテンツデータ７２１は、複数ページで構成される。本文のページ数は、顧客がフォトブック注文時に指定することが出来る。顧客によって指定されたページ数が本文のコンテンツデータのページ数となる。なお、顧客によって指定されたページ数は、図８の注文情報ファイル７１０のページ数７１５に記述される。
【００４０】
本文のコンテンツデータ７２１の１ページ目９００は、仕上がり領域に配置された実コンテンツ９０１、正確に製版・印刷が行われているかを確認するためのカラーバー９０２、およびページ番号９０３を含む。実コンテンツ９０１は、断裁などの後加工後に顧客に納品される実際の印刷物に対応し、トンボによって囲まれている。トンボとは印刷物を作成する際に、仕上がりサイズに断裁するための位置や多色刷りの見当合わせのため、版下の天地・左右の中央と四隅などに付ける目印のことである。なお、カラーバー９０２やページ番号９０３、トンボといった仕上がり領域外に配置された情報は、本文のコンテンツデータのすべてのページと表紙、ジャケット、帯のコンテンツデータにも配置される。
【００４１】
本文のコンテンツデータ７２１の２ページ目９０４およびＮページ目９０７は、１ページ目９００と同様に、それぞれ実コンテンツ９０５と実コンテンツ９０８を有する。実コンテンツ９０５は画像９０６を有し、実コンテンツ９０８は画像９０９を有する。画像９０６と画像９０９は、顧客が注文サーバ１００にてアップロードした画像である。顧客が画像補正処理を有効にした場合、画像９０６と画像９０９に画像補正処理が行われる。
【００４２】
図９（ｂ）に示す表紙のコンテンツデータ７２２は、実コンテンツ９１０を有する。実コンテンツ９１０は見開きページであって、フォトブックの商品ロゴ９１１と画像９１２、およびテキスト９１３を有する。
【００４３】
図９（ｃ）に示すジャケットのコンテンツデータ７２３は、実コンテンツ９１４を有する。実コンテンツ９１４は見開きページであって、フォトブックの商品ロゴ９１１と画像９１５、およびテキスト９１６を有する。図２で述べたように、ダイナミックスタイルの場合、ジャケットは全面が画像となるため、画像９１５は実コンテンツ９１４の見開き右ページ全面に貼り付けられている。
【００４４】
図９（ｄ）に示す帯のコンテンツデータ７２４は、実コンテンツ９１７を有する。実コンテンツ９１７は見開きページであって、フォトブックの商品ロゴ９１１と画像９１８、およびテキスト９１９を有する。図２で述べたように、ダイナミックスタイルの場合、画像９１８はジャケットの画像９１５と同じ画像が用いられ、帯の見開き左ページ領域部分だけ切りだされている。
【００４５】
［画像データ処理］
図１０は、第１の実施形態に係る印刷システムにおける画像補正処理の一例を示す図である。ここでは、図９に示した本文のコンテンツデータ７２１の実コンテンツ９０５を例に画像補正処理の概要を説明する。画像補正処理のフローは図１１を用いて後述する。
【００４６】
画像補正処理ではまず、実コンテンツ９０５を解析し、画像９０６を取得する。通常、顧客がフォトブック用にアップロードする画像は、ＪＰＥＧ（Ｊｏｉｎｔ  Ｐｈｏｔｏｇｒａｐｈｉｃ  Ｅｘｐｅｒｔ  Ｇｒｏｕｐ）等の静止画像のデジタルデータを圧縮する方式で圧縮されている。そのため、画像９０６をビットマップ形式の画像１０００に変換して、記憶部上に保持する。
【００４７】
記憶部上に保持された画像１０００に対して画像補正を行い、画像補正後の画像１００１を記憶部上に保持する。ここでの画像補正は特に限定するものではなく、画像の特性やユーザー指示に応じて実行されるものとする。画像１００１はビットマップ形式であるため、ビットマップ形式に変換前の圧縮形式（ここではＪＰＥＧ形式）に変換し、画像１００２を作成して記憶部上に保持する。画像補正されかつＪＰＥＧ形式に変換された画像１００２を実コンテンツ９０５の画像９０６と差し替える。
【００４８】
これで１ページ分の画像補正処理が完了する。第１の実施形態に係る印刷システムは、この画像補正処理を本文、表紙、ジャケット、帯といった部品それぞれのコンテンツデータの全ページに含まれるすべての画像に対して行う。
【００４９】
図１１は、図１０に示した画像補正処理の処理フローを説明する図である。本処理は、中央処理装置５００が、ＲＯＭ５０３等に記憶されたプログラムを読み出して実行することにより、画像補正処理部６０５として機能することで実現される。
【００５０】
Ｓ１１００にて、画像補正処理部６０５は、実コンテンツから画像を取得して、画像リストを作成する。画像補正処理部６０５は、作成した画像リスト内の画像それぞれに対して、Ｓ１１０１〜Ｓ１１０５の処理を行う。
【００５１】
Ｓ１１０１にて、画像補正処理部６０５は、画像サイズが閾値よりも大きいか否かを確認する。これは、図９の商品ロゴ９１１のように画像補正の対象外の画像に対して、画像補正処理を行なわないためである。ここでの閾値は予め定義され、補助記憶装置５０２等の記憶部に保持されているものとする。また、本実施形態では画像サイズに基づいて画像補正の有無を判定しているが、文字画像は補正しないなど他の情報に基づいて判定するようにしてもよい。画像補正処理部６０５は、画像サイズが閾値よりも大きい場合は（Ｓ１１０１にてＹＥＳ）Ｓ１１０２に処理を進め、小さい場合は（Ｓ１１０１にてＮＯ）対象を画像リスト内の次の画像に変更して画像補正処理を行う。
【００５２】
Ｓ１１０２にて、画像補正処理部６０５は、画像をビットマップ形式に変換し、このビットマップ画像を記憶部上に保持する。Ｓ１１０３にて、画像補正処理部６０５は、ビットマップ画像に対して画像補正を行い、画像補正後のビットマップ画像を記憶部上に保持する。ここでの画像補正は図１０に示すように特に限定するものではなく、必要に応じて適用されるものとし、詳細な画像補正の内容は省略する。Ｓ１１０４にて、画像補正処理部６０５は、画像補正後のビットマップ画像を元の画像圧縮形式に変換し、変換後画像を記憶部上に保持する。例えば、元の画像圧縮形式がＪＰＥＧ形式の場合は、画像補正後のビットマップ画像をＪＰＥＧ形式に変換する。
【００５３】
Ｓ１１０５にて、画像補正処理部６０５は、圧縮形式の変換後の画像を実コンテンツ中に元々あった画像と差し替える。Ｓ１１０６にて、画像補正処理部６０５は、画像リスト内のすべての画像に対して画像補正が完了したか否かを確認する。画像補正処理部６０５は、すべての画像に対して画像補正が完了した場合は画像補正処理を終了し、画像補正が完了していない場合は、対象を画像リスト内の次の画像に変更してＳ１１０１〜Ｓ１１０５の処理を行う。
【００５４】
［コンテンツデータ処理］
図１２は、第１の実施形態に係る印刷システムにおいて、ダイナミックスタイルが指定された場合のコンテンツデータ処理の一例を示す図である。ここでは、図９に示したジャケットのコンテンツデータ７２３の実コンテンツ９１４と帯のコンテンツデータ７２４の実コンテンツ９１７を例にコンテンツデータ処理の概要を説明する。コンテンツデータ処理のフローは図１３を用いて後述する。
【００５５】
ダイナミックスタイルが指定された場合、コンテンツデータ処理ではまず、ジャケットのコンテンツデータ７２３の実コンテンツ９１４から画像９１５を取得し、図１０と図１１で説明した画像補正処理を行う。画像補正処理により、画像１２００が生成され、記憶部上に保持される。
【００５６】
そして、帯の実コンテンツ９１７内で画像９１８が配置される帯画像領域１２０１の位置とサイズを取得する。帯画像領域１２０１を取得した後、画像１２００から帯画像領域１２０１の部分を切り取り、画像１２０２を生成して記憶部上に保持する。記憶部上に保持された画像１２０２が、帯のコンテンツデータ７２４にある画像９１８と差し替えられる。
【００５７】
図１３は、図１２に示したコンテンツデータ処理の処理フローを説明する図である。本処理は、中央処理装置５００が、ＲＯＭ５０３等に記憶されたプログラムを読み出して実行することにより、作業工程管理部６０１、コンテンツデータ処理部６０４、および画像補正処理部６０５として機能することで実現される。
【００５８】
Ｓ１３００にて、作業工程管理部６０１は、注文データ取込部６０２が取り込んだ注文データ７００の注文情報ファイル７１０に含まれるジャケットスタイル７１４の設定値を確認する。ジャケットスタイル７１４がダイナミックスタイルでない場合（Ｓ１３００にてＮＯ）、作業工程管理部６０１はＳ１３０１に処理を進める。ダイナミックスタイルである場合は（Ｓ１３００にてＹＥＳ）、Ｓ１３０４に処理を進める。
【００５９】
Ｓ１３０１にて、作業工程管理部６０１は、画像補正処理部６０５を呼び出し、図１０と図１１で説明した画像補正処理を行う。Ｓ１３０２において、作業工程管理部６０１は、処理対象のコンテンツデータ内の全ページの画像補正が完了したか否かを確認する。例えば、本文のコンテンツデータ７２１のように複数のページ（９００〜９０７）で構成されている場合は、作業工程管理部６０１は全ページの画像補正を行う。作業工程管理部６０１は、画像補正が完了した場合にはＳ１３０３に処理を進め、完了していない場合にはＳ１３０１に戻り未処理の次ページに対し画像補正処理を行う。
【００６０】
Ｓ１３０３にて、作業工程管理部６０１は、本文、表紙、ジャケット、帯といったコンテンツデータすべてに対して、画像補正が完了したか否かを確認する。コンテンツデータすべての画像補正が完了した場合、作業工程管理部６０１は、コンテンツデータ処理の処理フローを完了する。画像補正が完了していない場合、作業工程管理部６０１は、Ｓ１３００に戻り、未処理の次のコンテンツデータに対して画像補正を行う。
【００６１】
一方、ダイナミックスタイルが設定されている場合（Ｓ１３００にてＹＥＳ）、作業工程管理部６０１は、Ｓ１３０４にて、処理対象のコンテンツデータが帯か否かを判定する。コンテンツデータが帯の場合は（Ｓ１３０４にてＹＥＳ）、作業工程管理部６０１は、画像補正を行わずに次のコンテンツデータに対する処理へ移る。コンテンツデータが帯でない場合（Ｓ１３０４にてＮＯ）、作業工程管理部６０１は、Ｓ１３０５に処理を進める。
【００６２】
Ｓ１３０５にて、作業工程管理部６０１は、処理対象のコンテンツデータがジャケットか否かを判定する。コンテンツデータがジャケットでない場合、つまりコンテンツデータが本文か表紙の場合は（Ｓ１３０５にてＮＯ）、作業工程管理部６０１は、Ｓ１３０１にて処理対象のコンテンツデータに対し画像補正を行う。コンテンツデータがジャケットの場合（Ｓ１３０５にてＹＥＳ）、作業工程管理部６０１は、Ｓ１３０６に処理を進める。Ｓ１３０６の画像補正処理の内容はＳ１３０１と同じである。作業工程管理部６０１は、Ｓ１３０６が完了した後、Ｓ１３０７に処理を進める。
【００６３】
Ｓ１３０７にて、作業工程管理部６０１は、コンテンツデータ処理部６０４を呼び出し、処理対象のコンテンツデータに対する処理を指示する。具体的には、コンテンツデータ処理部６０４は帯の実コンテンツから帯画像領域情報（位置とサイズ）を取得する。Ｓ１３０８にて、コンテンツデータ処理部６０４は、ジャケットの画像補正後の画像を取得する。
【００６４】
Ｓ１３０９にて、コンテンツデータ処理部６０４は、Ｓ１３０８にて取得したジャケットの画像補正後の画像が帯画像領域内に収まるか否かを判定する。画像が収まる場合（Ｓ１３０９にてＹＥＳ）、コンテンツデータ処理部６０４は、Ｓ１３１０に処理を進める。例えば、図１４に示すように、帯画像領域１４００内にジャケットの画像１４０１が収まっている場合、コンテンツデータ処理部６０４はジャケットの画像１４０１は帯画像領域１４００内に収まっていると判定する。画像が収まらない場合（Ｓ１３０９にてＮＯ）、コンテンツデータ処理部６０４は、Ｓ１３１３に処理を進める。例えば、図１２に示すように、帯画像領域１２０１内にジャケットの画像１２００が収まっていない場合、コンテンツデータ処理部６０４は画像１２００が帯画像領域１２０１に収まっていないと判定する。
【００６５】
Ｓ１３１０にて、コンテンツデータ処理部６０４は、画像を帯の実コンテンツの画像と差し替える。例えば、図１４の場合、コンテンツデータ処理部６０４は、画像１４０１を帯の実コンテンツの画像と差し替える。Ｓ１３０８にて取得したジャケットの画像補正後の画像が複数ある場合は、Ｓ１３１１にて、コンテンツデータ処理部６０４はＳ１３０９〜Ｓ１３１６の処理を繰り返す。
【００６６】
Ｓ１３１２にて、作業工程管理部６０１は、処理対象のコンテンツデータ内の全ページの画像補正が完了したか否かを確認する。作業工程管理部６０１は、画像補正が完了した場合にはＳ１３０３に処理を進め、完了していない場合にはＳ１３０６に戻り未処理の次ページに対し画像補正処理を行う。
【００６７】
Ｓ１３１３にて、コンテンツデータ処理部６０４は、Ｓ１３０８にて取得したジャケットの画像補正後の画像が帯画像領域内に重なるか否かを判定する。画像が重なる場合（Ｓ１３１３にてＹＥＳ）、コンテンツデータ処理部６０４は、Ｓ１３１４に処理を進める。画像が重ならない場合（Ｓ１３１３にてＮＯ）、コンテンツデータ処理部６０４は、Ｓ１３１１に処理を進め、未処理の次の画像を処理対象にして処理を行う。ジャケットの画像が帯画像領域に重ならない場合とは、例えば、図１５（ａ）に示すように、帯画像領域１５００に対して、ジャケットの画像１５０１が外れているような場合を想定する。また、帯画像領域１５０２に画像１５０３の重なり部分がある場合とは、図１５（ｂ）に示すように、ジャケットの画像１５０３の一部が帯画像領域１５０２に重なっている場合を想定する。図１５（ｂ）のような場合には、コンテンツデータ処理部６０４は、ジャケットの画像補正後の画像が帯画像領域内に重なると判定する。本実施形態の場合、図１２に示す通り、ジャケット全体に画像１２００が張られているため、コンテンツデータ処理部６０４は画像１２００が帯画像領域１２０１に重なると判定する。よって、図１２の例の場合は、コンテンツデータ処理部６０４は、Ｓ１３１４に処理を進める。
【００６８】
Ｓ１３１４にて、コンテンツデータ処理部６０４は、帯画像領域１２０１を基に、ジャケットの画像１２００の切り取り領域を計算する。コンテンツデータ処理部６０４は、計算した切り取り領域を記憶部上に保持する。Ｓ１３１５にて、コンテンツデータ処理部６０４は、切り取り領域を基に、ジャケットの画像１２００を切り取る。コンテンツデータ処理部６０４は、切り取り後の画像を記憶部上に保持する。Ｓ１３１６にて、コンテンツデータ処理部６０４は、記憶部上に保持した切り取り後の画像を帯の実コンテンツの画像９１８と差し替える。
【００６９】
Ｓ１３０８にて取得したジャケットの画像補正後の画像が複数ある場合は、Ｓ１３１１にて、コンテンツデータ処理部６０４はＳ１３０９〜Ｓ１３１６の処理を繰り返す。Ｓ１３１２にて、作業工程管理部６０１は、処理対象のコンテンツデータ内の全ページの画像補正が完了したか否かを確認する。作業工程管理部６０１は、画像補正が完了した場合にはＳ１３０３に処理を進め、完了していない場合にはＳ１３０６にも戻り未処理の次ページの画像補正処理を行う。
【００７０】
Ｓ１３０３にて、作業工程管理部６０１は、本文、表紙、ジャケット、帯といったコンテンツデータすべてに対して、画像補正が完了したか否かを確認する。コンテンツデータすべての画像補正が完了した場合、作業工程管理部６０１は、コンテンツデータ処理の処理フローを完了する。画像補正が完了していない場合、作業工程管理部６０１は、Ｓ１３００に戻り、未処理の次のコンテンツデータに対して画像補正を行う。
【００７１】
本実施形態によれば、例えば本のジャケットや本に巻かれる帯といった１の成果物を構成する異なる印刷物上に同じ画像を印刷する場合、画像補正後のジャケット画像を基に帯の画像を差し替えることで、ジャケットと帯で画像補正結果を一致させるができる。そのため、印刷物それぞれを一冊の本として組み付けた結果、画像補正結果が一致し、成果物としての品質を向上させることができる。
【００７２】
なお、本実施形態に従えば、ジャケットの画像を基に帯画像を生成するので、帯のコンテンツデータ中に画像を入れておくことは必須ではない。また、帯画像領域を帯のコンテンツデータに設定しておく実施形態も考えられる。
【００７３】
本実施形態は、成果物の帯は複数であってもよく、また、複数の帯が重畳して重ねられるような構成に対しても適用可能である。
【００７４】
また、本実施形態では、表紙と帯の関係を例にとって説明したが、これに限定するものではない。例えば、製本を構成するページにおいて、サイズもしくは形状の異なるページ間で同じ画像を用いる場合には、同様の処理を行うようにしても構わない。
【００７５】
＜第二の実施形態＞
第二の実施形態は、図１２と図１３で説明したコンテンツデータ処理の実勢形態を説明する。なお、第二の実施形態に係る印刷システムの構成や印刷システムにより生産される成果物等は第一の実施形態と同じとし、説明は省略する。
【００７６】
［コンテンツデータ処理］
図１６は、第二の実施形態に係る印刷システムにおいて、ダイナミックスタイルが指定された場合のコンテンツデータ処理の一例を示す図である。ここでは、図９に示したジャケットのコンテンツデータ７２３の実コンテンツ９１４と帯のコンテンツデータ７２４の実コンテンツ９１７を例にコンテンツデータ処理の概要を説明する。コンテンツデータ処理のフローは後述する図１７にて説明する。
【００７７】
ダイナミックスタイルが指定された場合、コンテンツデータ処理ではまず、ジャケットのコンテンツデータ７２３の実コンテンツ９１４から画像９１５を取得し、図１０と図１１で説明した画像補正処理を行う。画像補正処理により、画像１６００が生成され、記憶部上に保持される。そして、画像補正処理で使用した補正パラメータ１６０１を記憶部上に保持する。
【００７８】
その後、補正パラメータ１６０１を適用し、帯のコンテンツデータである画像９１８に対し画像補正処理を行う。そして、画像補正処理後の画像１６０２を帯に対する画像データとして記憶部上に保持する。記憶部上に保持された画像１６０２が、帯のコンテンツデータ７２４にある画像９１８と差し替えられる。
【００７９】
図１７は、図１６に示したコンテンツデータ処理の処理フローを説明する図であり、第一の実施形態にて述べた図１３に対応する。本処理は、中央処理装置５００が、ＲＯＭ５０３等に記憶されたプログラムを読み出して実行することにより、作業工程管理部６０１、コンテンツデータ処理部６０４、および画像補正処理部６０５として機能することで実現される。
【００８０】
Ｓ１７００にて、作業工程管理部６０１は、注文データ取込部６０２が取り込んだ注文データ７００の注文情報ファイル７１０に含まれるジャケットスタイル７１４の設定値を確認する。ジャケットスタイル７１４がダイナミックスタイルでない場合（Ｓ１７００にてＮＯ）、作業工程管理部６０１は、Ｓ１７０１に処理を進める。ダイナミックスタイルの場合は（Ｓ１７００にてＹＥＳ）、Ｓ１７０４に処理を進める。
【００８１】
Ｓ１７０１にて、作業工程管理部６０１は、画像補正処理部６０５を呼び出し、図１０と図１１で説明した画像補正処理を行う。Ｓ１７０２にて、作業工程管理部６０１は、処理対象のコンテンツデータ内の全ページの画像補正が完了したか否かを確認する。例えば、本文のコンテンツデータ７２１のように複数のページ（９００〜９０７）で構成されている場合は、作業工程管理部６０１は全ページの画像補正を行う。作業工程管理部６０１は、画像補正が完了した場合にはＳ１７０３に処理を進め、完了していない場合にはＳ１７０１に戻り未処理の次ページに対し画像補正処理を行う。
【００８２】
Ｓ１７０３にて、作業工程管理部６０１は、本文、表紙、ジャケット、帯といったコンテンツデータすべてに対して、画像補正が完了したか否かを確認する。コンテンツデータすべての画像補正が完了した場合、作業工程管理部６０１は、コンテンツデータ処理の処理フローを完了する。画像補正が完了していない場合、作業工程管理部６０１は、Ｓ１７００に戻り、未処理の次のコンテンツデータに対して画像補正を行う。
【００８３】
一方、ダイナミックスタイルが設定されている場合（Ｓ１７００にてＹＥＳ）、作業工程管理部６０１は、Ｓ１７０４にて、処理対象のコンテンツデータがジャケットまたは帯か否かを判定する。処理対象のコンテンツデータがジャケットまたは帯でない場合（Ｓ１７０４にてＮＯ）、作業工程管理部６０１は、Ｓ１７０１に処理を進める。ジャケットまたは帯の場合は（Ｓ１７０４にてＹＥＳ）、作業工程管理部６０１は、Ｓ１７０５に処理を進める。
【００８４】
Ｓ１７０５にて、作業工程管理部６０１は、処理対象のコンテンツデータがジャケットか否かを判定する。ジャケットの場合（Ｓ１７０５にてＹＥＳ）、作業工程管理部６０１は、Ｓ１７０６に処理を進める。ジャケットでない場合（Ｓ１７０５にてＮＯ）、作業工程管理部６０１は、Ｓ１７０９に処理を進める。
【００８５】
Ｓ１７０６にて、作業工程管理部６０１は、画像補正処理部６０５を呼び出し、図１０と図１１で説明した画像補正処理を行う。Ｓ１７０７にて、画像補正処理部６０５は、Ｓ１７０６の画像補正処理にて使用した補正パラメータを記憶部上に保持する。
【００８６】
Ｓ１７０８にて、作業工程管理部６０１は、処理対象のコンテンツデータ内の全ページの画像補正が完了したか否かを確認する。作業工程管理部６０１は、画像補正が完了した場合にはＳ１７０３に処理を進め、完了していない場合にはＳ１７０５に戻り未処理の次ページに対し処理を行う。
【００８７】
Ｓ１７０９にて、コンテンツデータ処理部６０４は、Ｓ１７０７にて記憶部上に保持した補正パラメータを取得する。Ｓ１７１０にて、コンテンツデータ処理部６０４は、画像補正処理部６０５を呼び出し、Ｓ１７０９にて取得した補正パラメータを画像補正処理部６０５に渡す。そして、画像補正処理部６０５は、渡された補正パラメータを用いて画像補正処理を行う。
【００８８】
Ｓ１７０８にて、作業工程管理部６０１は、処理対象のコンテンツデータ内の全ページの画像補正が完了したか否かを確認する。作業工程管理部６０１は、画像補正が完了した場合にはＳ１７０３に処理を進め、完了していない場合にはＳ１７０５に戻り未処理の次のページに対し処理を行う。
【００８９】
Ｓ１７０３にて、作業工程管理部６０１は、本文、表紙、ジャケット、帯といったコンテンツデータすべてに対して、画像補正が完了したか否かを確認する。コンテンツデータすべての画像補正が完了した場合、作業工程管理部６０１は、コンテンツデータ処理の処理フローを完了する。画像補正が完了していない場合、作業工程管理部６０１は、Ｓ１７００に戻り、未処理の次のコンテンツデータに対し画像補正を行う。
【００９０】
本実施形態によれば、本のジャケットや本に巻かれる帯といった１冊の本を構成する異なる印刷物上に同じ画像を印刷する場合、ジャケット画像と帯の画像で同じ結果になる補正パラメータを共有することで、ジャケットと帯で画像補正結果を一致させるができる。そのため、印刷物それぞれを一冊の本として組み付けた結果、画像補正結果が一致し、本としての品質を向上させることができる。
【００９１】
また、本実施形態では同じ補正パラメータを用いて補正処理を行う例を示したが、これに限定するものではない。例えば、各部品の画像が印刷される記録媒体（紙など）の種類が異なる場合に、各記録媒体の特性に応じて補正パラメータを調整するようにしても構わない。この場合、記録媒体の特性に応じたルックアップテーブル（変換テーブル）などを用いて、補正パラメータを調整することが考えられる。これにより、部品に応じて印刷媒体が異なる場合でも、ユーザーは同等の画像品質を得ることができる。
【００９２】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015097058.tif 000003
【図２】
2015097058.tif 000004
【図３】
2015097058.tif 000005
【図４】
2015097058.tif 000006
【図５】
2015097058.tif 000007
【図６】
2015097058.tif 000008
【図７】
2015097058.tif 000009
【図８】
2015097058.tif 000010
【図９】
2015097058.tif 000011
【図１０】
2015097058.tif 000012
【図１１】
2015097058.tif 000013
【図１２】
2015097058.tif 000014
【図１３】
2015097058.tif 000015
【図１４】
2015097058.tif 000016
【図１５】
2015097058.tif 000017
【図１６】
2015097058.tif 000018
【図１７】
2015097058.tif 000019